(57)【要約】【課題】可動式の遮光フードを備え画面周囲の明るさに応じて輝度を適切に制御することが可能な表示装置及びその制御方法を提供する。【解決手段】画像を表示する表示画面部と、前記表示画面部の前方へ突出して表示画面部への外光の入射を制限する遮光フードであって、表示画面部の前方への突出量を可変とする機構を介して表示画面部に対して移動可能に取り付けられる遮光フードと、前記遮光フードの突出量を検出する突出量検出部と、前記突出量検出部により検出される遮光フードの突出量に応じて前記表示画面部の輝度を制御する制御部と、を有する。【選択図】図１
2012037811.tif 000002
【特許請求の範囲】
【請求項１】
画像を表示する表示画面部と、
前記表示画面部の前方へ突出して表示画面部への外光の入射を制限する遮光フードであって、表示画面部の前方への突出量を可変とする機構を介して表示画面部に対して移動可能に取り付けられる遮光フードと、
前記遮光フードの突出量を検出する突出量検出部と、
前記突出量検出部により検出される遮光フードの突出量に応じて前記表示画面部の輝度を制御する制御部と、
を有する表示装置。
【請求項２】
前記制御部は、遮光フードの突出量が大きいほど表示画面部の輝度を低くし、遮光フードの突出量が小さいほど表示画面部の輝度を高くするように表示画面部の輝度を制御する請求項１に記載の表示装置。
【請求項３】
前記表示画面部の周囲の照度を検出する外光センサを有し、
前記制御部は、前記外光センサにより検出される表示画面部の周囲の照度と、前記突出量検出部により検出される遮光フードの突出量と、に応じて表示画面部の輝度を制御する請求項１又は２に記載の表示装置。
【請求項４】
前記遮光フードの突出量の変化を検出する変化検出部を有し、
前記制御部は、前記変化検出部により遮光フードの突出量の変化が検出された場合、変化が検出された時点での表示画面部の輝度を基準として、遮光フードの突出量の変化量に応じて表示画面部の輝度を制御し、次に前記変化検出部により遮光フードの突出量の変化が検出されるまで、前記外光センサにより検出される表示画面部の周囲の照度に応じて表示画面部の輝度を制御する請求項３に記載の表示装置。
【請求項５】
前記制御部は、遮光フードの突出量が変化したことが検出された場合において、遮光フードの突出量が増加する変化が検出された場合は、突出量の変化量が大きいほど表示画面部の輝度を低くし、遮光フードの突出量が減少する変化が検出された場合は、突出量の変化量が大きいほど表示画面部の輝度を高くする請求項４に記載の表示装置。
【請求項６】
ユーザに、前記制御部による前記表示画面部の輝度の制御が基づくところの前記遮光フードの突出量と前記表示画面部の輝度との関係、又は、前記表示画面部の周囲の照度及び前記遮光フードの突出量と前記表示画面部の輝度との関係を設定させる設定部を有する請求項１から５のいずれか１項に記載の表示装置。
【請求項７】
前記遮光フードは、表示画面部に対して着脱可能である請求項１から６のいずれか１項に記載の表示装置。
【請求項８】
画像を表示する表示画面部と、前記表示画面部の前方へ突出して表示画面部への外光の入射を制限する遮光フードであって、表示画面部の前方への突出量を可変とする機構を介して表示画面部に対して移動可能に取り付けられる遮光フードと、を有する表示装置の制御方法であって、
前記遮光フードの突出量を検出するステップと、
前記遮光フードの突出量に応じて前記表示画面部の輝度を制御するステップと、
を有する表示装置の制御方法。
【発明の詳細な説明】
【技術分野】
【０００１】
本発明は、遮光フードを用いる表示装置およびその制御方法に関するものである。
【背景技術】
【０００２】
液晶モニタやＣＲＴ（cathode ray tube）などの画像表示装置をオフィスや屋外で使用する場合に、照明器具や太陽からの光が外光として画面に入り込むことを防止するために遮光フードが用いられる。遮光フードは、画面に外光が入り込むことを防ぐ機能に加えて、パーテーションの役割も果たし、ユーザが画面に没頭することを助ける。
【０００３】
輝度を調整することができるつまみやスイッチを備え、ユーザが画像表示装置の周囲の明るさに合わせて輝度を調整できる画像表示装置がある。画像表示装置の周囲の明るさを検知する外光センサを備え、画像表示装置の周囲の明るさに応じて輝度を自動的に調整する画像表示装置もある。
【０００４】
遮光フードを備えた画像表示装置に関連して、画面前方への繰出し量が可変のスライド機構を備えたディスプレイ用日よけカバーが提案されている（特許文献１を参照）。また、遮光フードの着脱を検出して画面の輝度を調整する携帯型電子機器が提案されている（特許文献２を参照）。
【先行技術文献】
【特許文献】
【０００５】
【特許文献１】実開平５−７４９６６号公報
【特許文献２】特開２００４−２４６６５１号公報
【非特許文献】
【０００６】
【非特許文献１】ＶＤＴ作業における労働衛生管理のためのガイドライン、基発第０４０５００１号、平成１４年４月５日、厚生労働省
【発明の概要】
【発明が解決しようとする課題】
【０００７】
非特許文献１において、ディスプレイ画面の明るさ、書類及びキーボード面における明るさと周辺の明るさとの差はなるべく小さくすることが推奨されている。遮光フードによる遮光量が大きくなると、画面周辺の明るさ（外から画面に入射する光の明るさ、照度）は暗くなるため、相対的に画面の明るさと周辺の明るさとの差が大きくなる。
特許文献１に記載されたディスプレイ用日よけカバーを用いた場合、日よけカバーをスライドさせることにより遮光量を変化させることができるものの、それに応じた輝度の調整は行われない。
特許文献２に記載された携帯型電子機器では、遮光フードの着脱に応じて予め設定された２種類の輝度に調整されるものの、画面周囲の明るさの変化に応じた輝度の調整は行われない。そのため、画面の明るさと周辺の明るさの差が大きい状態でユーザが画像表示装置を使用し、目に負担がかかってしまう可能性がある。
【０００８】
そこで本発明は、可動式の遮光フードを備え、画面周囲の明るさに応じて輝度を適切に制御することが可能な表示装置及びその制御方法を提供することを目的とする。
【課題を解決するための手段】
【０００９】
上述した課題を解決するための、本発明は、
画像を表示する表示画面部と、
前記表示画面部の前方へ突出して表示画面部への外光の入射を制限する遮光フードであって、表示画面部の前方への突出量を可変とする機構を介して表示画面部に対して移動可能に取り付けられる遮光フードと、
前記遮光フードの突出量を検出する突出量検出部と、
前記突出量検出部により検出される遮光フードの突出量に応じて前記表示画面部の輝度を制御する制御部と、
を有する表示装置である。
【００１０】
また、本発明は、画像を表示する表示画面部と、前記表示画面部の前方へ突出して表示画面部への外光の入射を制限する遮光フードであって、表示画面部の前方への突出量を可変とする機構を介して表示画面部に対して移動可能に取り付けられる遮光フードと、を有する表示装置の制御方法であって、
前記遮光フードの突出量を検出するステップと、
前記遮光フードの突出量に応じて前記表示画面部の輝度を制御するステップと、
を有する表示装置の制御方法である。
【発明の効果】
【００１１】
本発明によれば、可動式の遮光フードを備え、画面周囲の明るさに応じて輝度を適切に制御することが可能な表示装置及びその制御方法を提供することができる
【図面の簡単な説明】
【００１２】
【図１】実施例１の表示装置のブロック図。
【図２】実施例１の表示装置の斜視図。
【図３】実施例１の表示装置の背面図。
【図４】実施例１の表示装置の遮光フードの突出量が最大の状態での側面図。
【図５】実施例１の突出量輝度値テーブルの一例。
【図６】実施例１の表示装置の制御を表すフローチャート。
【図７】実施例２の表示装置の背面側からみた斜視図。
【図８】実施例２のマグネットと近接センサの動作説明図。
【図９】実施例２の表示装置の遮光フードの突出量が最小の状態での斜視図。
【図１０】実施例３の表示装置の斜視図。
【図１１】実施例３の表示装置のブロック図。
【図１２】実施例３の外光量輝度値テーブルの一例。
【図１３】実施例３の突出量変化量に基づく輝度値調整の説明図。
【図１４】実施例３の表示装置の制御を表すフローチャート。
【発明を実施するための形態】
【００１３】
（実施例１）
以下図面に基づいて本発明の実施例を説明する。図１は、本実施例に係る表示装置の機能ブロック、図２は、本実施例に係る表示装置の斜視図、図３は本実施例に係る表示装置の背面図である。表示装置１０は、ディスプレイ部２０とスタンド部３０から構成される。ディスプレイ部２０は、画像を表示する表示画面部１０７を有する部分であり、外観部材として遮光フード２１、フロントベゼル２２、操作ボタン２３及びリアカバー２４を有する。スタンド部３０は、ディスプレイ部２０を机上などに設置するための設置器具であり、外観部材としてスタンドカバー３１及びスタンド柱３２を有する。また、スタンド部３０は、図示しない内部部材として、プレス加工による板金部品やアルミダイキャストを用いた成形部品の強度部材を用いて組立てられている。
【００１４】
表示画面部１０７は、例えばＣＲＴ、液晶ディスプレイ、プラズマディスプレイ、有機
ＥＬ（Electro Luminescence）ディスプレイなどであり、入力される映像信号の表示を行う。本実施例では、表示画面部１０７は液晶ディスプレイであり、バックライトの発光を制御することにより輝度が調整される。
【００１５】
遮光フード２１は、表示画面部１０７の前方へ突出して表示画面部１０７への外光の入射を制限する。遮光フード２１の内側の左右側面と天面側には、断面略Ｔ字型の直線状の溝であるガイドレール４０が形成される。フロントベゼル２２の外側の左右側面には、ガイドレール４０に対してスライド可能に嵌合する断面略Ｔ字型のガイド突起４５が形成される。遮光フード２１のガイドレール４０と、フロントベゼル２２のガイド突起４５と、により、遮光フード２１の表示画面部１０７の前方への突出量を可変とする機構が構成される。遮光フード２１は、この機構を介して、フロントベゼル２２に対して、表示画面部１０７の画面に垂直な方向に移動可能に取り付けられている。なおガイドレールの断面形状はＬ字型やＩ型などでもよく、ガイド突起の形状はガイドレールに対してスライド可能に嵌合する形状であれば、特に限定されない。
【００１６】
フロントベゼル２２は、ディスプレイ部２０の前面及び側面の外装部材であり、ＡＢＳ（Acrylonitrile Butadiene Styrene）又はＰＳ（polystyrene）の樹脂を用いて樹脂成型されている。フロントベゼル２２はアルミニウムや鋼材の金属を用いて形成しても良い。フロントベゼル２２の前面中央部に開口部があり、そこに表示画面部１０７が設けられている。フロントベゼル２２の前面中央部の開口部より下部には操作ボタン２３が設けられる。ユーザが操作ボタン２３を操作することにより、表示装置１０の電源のオンオフ、設定メニューの表示、輝度、コントラスト、表示位置、解像度などの調整を行うことができる。
【００１７】
リアカバー２４は、表示画面部１０７の背面との間に空間を有して表示画面部１０７の背面を覆う外装部材であり、金型などを用いた絞り加工が施された板金により形成される。
【００１８】
図４は、表示装置１０の側面図であり、遮光フード２１の前方（フロントベゼル２２側）への突出量が最大の状態を示している。遮光フード２１の突出量が大きいほど遮光フード２１による遮光量が大きい。突出量が最小の状態において突出量がゼロになるように遮光フード２１の可動機構を構成しても良いし、突出量が最小の状態においても遮光フード２１がフロントベゼル２２の前面からある程度突出するように構成しても良い。
【００１９】
表示装置１０の側面中央部には、遮光フード２１の突出量を検出するための突出量検出部１０１が設けられる。突出量検出部１０１は、遮光フード２１の内側側面に設けられる直線歯車形状の計測溝４１、フロントベゼル２２の外側側面に設けられ計測溝４１の歯と嵌合する歯車４７、歯車４７の回転角度を検出するエンコーダ４６からなる。計測溝４１と歯車４７とはラックピニオンを形成し、歯車４７が回転することにより、遮光フード２１がフロントベゼル２２に対して表示画面部１０７の画面垂直方向に相対移動可能になっている。歯車４７はエンコーダ４６の先端に圧入されている。
【００２０】
図１は、本実施例に係る表示装置１０のブロック図である。表示装置１０において、画像処理部１０６は、外部入力部１０５から入力される画像信号の処理を行い、表示画面部１０７へ出力する。表示画面部１０７は、画像処理部１０６から入力される画像信号の表示を行う。突出量検出部１０１は、エンコーダ４６が検出した歯車４７の回転角度に基づいて遮光フード２１の突出量を算出し、突出量輝度値算出部１０４へ出力する。突出量検出部１０１は、エンコーダ４６により検出される歯車４７の回転角度を計測溝４１の直線移動距離に換算し、遮光フード２１の突出量（変位量）を算出する。遮光フード２１の突出量は、突出量が最小の状態における突出量をゼロとして算出しても良いし、フロントベ
ゼル２２の前面の表面を基準として算出しても良い。突出量輝度値算出部１０４は、図５に示す突出量輝度値テーブルを参照して、突出量検出部１０１より入力される遮光フード２１の突出量に応じたバックライト輝度値を算出し、制御部１０２へ出力する。制御部１０２は、突出量輝度値算出部１０４から入力されるバックライト輝度値に基づいてバックライト部１０３を制御する。
【００２１】
図５は、突出量輝度値算出部１０４において参照される突出量輝度値テーブルの一例である。横軸が遮光フード２１の突出量を表し、縦軸がバックライト輝度値を表す。図５に示すように、遮光フード２１の突出量が大きいほどバックライト輝度値は小さく、遮光フード２１の突出量が少ないほどバックライト輝度値は大きくなる。すなわち、遮光フード２１による遮光量が多く表示画面部１０７の周辺の明るさが暗くなるほどバックライト輝度値が小さくされ、表示画面部１０７の輝度と周辺の明るさとの差が大きくなることが抑制される。また、遮光フード２１による遮光量が少なく表示画面部１０７の周辺の明るさが明るくなるほどバックライト輝度値が大きくされ、外光が明るい環境下で表示画面部１０７が見難くなることが抑制される。
【００２２】
図５の突出量輝度値テーブルは、遮光フード２１の突出量に応じた表示画面部１０７の周囲の明るさを考慮して遮光フード２１の突出量ごとに設定されるバックライト部１０３の輝度値のテーブルである。突出量輝度値テーブルは、表示画面部１０７の周囲の明るさと表示画面部１０７の輝度との差が、眼への負担が所定の許容レベル以下に抑えられる値になるように設定されている。遮光フード２１の突出量と表示画面部１０７の周囲の明るさとの関係は、表示装置１０が使用される環境条件（屋内であれば照明の種類、明るさなど。屋外であれば、天候や時間帯など）に依存する。従って、突出量輝度値算出部１０４は、種々の典型的な環境条件における遮光フード２１の突出量と表示画面部１０７の周囲の明るさとの関係に基づいて作成された複数の突出量輝度値テーブルを持ち、ユーザの指定により切り替えられるようにしても良い。例えば屋外晴天の条件では、遮光フード２１の突出量の変化に応じて表示画面部１０７の周囲の明るさが屋内の場合よりも大きく変化するので、突出量の変化に応じてバックライト輝度値が大きく変化する突出量輝度値テーブルに切り替えられるようにしても良い。
【００２３】
図５の突出量輝度値テーブルでは、バックライト輝度値は遮光フード２１の突出量に対して連続的に変化するように設定されているが、段階的に変化するように設定することもできる。例えば、遮光フード２１の最小突出量から最大突出量までの範囲をｎ−１個の領域に分割し、各領域に対して一つのバックライト輝度値を割り当てるようにしても良い。また、遮光フード２１の突出量に対するバックライト輝度値の変化の仕方は、図５に例示するような直線的な変化でなくても良い。
【００２４】
図５の突出量輝度値テーブルは、突出量の絶対値と輝度値の絶対値との関係だが、突出量の変化量と輝度値の変化量との関係を突出量輝度値テーブルとして持っていても良い。この場合、突出量の変化量が正であれば輝度値を減少させ、突出量の変化量が負であれば輝度値を増加させるように突出量輝度値テーブルを設定することができる。このような突出量輝度値テーブルを使用する場合は、例えばユーザが表示装置１０の使用開始時にその使用環境において最適な輝度設定を行えば、その後遮光フード２１の突出量を変化させた場合、その変化量に応じて表示画面部１０７の輝度が自動調整される。
【００２５】
図６は、本実施例に係る表示装置１０における遮光フード２１の突出量に応じた表示画面部１０７の輝度制御を表すフローチャートである。表示装置１０は、ステップＳ２００で、遮光フード２１が動いたか否か判別を行い、動いたと判定した場合はステップＳ２０１へ進み、動いていないと判定した場合は、ステップＳ２０４へ進む。表示装置１０は、エンコーダ４６によって歯車４７の回転が検出されたかた否かに基づいて、ステップＳ２
００の判定を行うことができる。表示装置１０は、ステップＳ２０４では、遮光フード２１の突出量に変化が無いため、表示画面部１０７の輝度調整を行わずに本フローを終了する。ステップＳ２０１では、突出量検出部１０１が、エンコーダ４６により検出される歯車４７の回転量に基づいて、遮光フード２１の突出量を算出する。次いでステップＳ２０２では、突出量輝度値算出部１０４が、図５に例示した突出量輝度値テーブルを参照し、ステップＳ２０１で算出された遮光フード２１の突出量に基づいて、突出量に応じたバックライト輝度値を算出する。ステップＳ２０３において、制御部１０２が、ステップＳ２０２で算出されたバックライト輝度値に基づいて、バックライト部１０３の輝度を制御する。
【００２６】
表示装置１０が以上の制御フローを実行することにより、ユーザにより遮光フード２１が動かされてその突出量が変化すると、表示画面部１０７の輝度が、遮光フード２１の突出量に応じて可変制御される。具体的には、遮光フード２１が手前に引き出されて突出量が増加すると表示画面部１０７の輝度が下がり、遮光フード２１が奥に押し込まれて突出量が減少すると表示画面部１０７の輝度が上がるように輝度調整される。これにより、遮光フード２１の突出量が増加して表示画面部１０７周囲の明るさが低下した場合には、それに応じて表示画面部１０７の輝度が下がるため、表示画面部１０７の輝度と周囲の明るさとの差が大きくなることを抑制できる。よって、ユーザの目に負担がかかることを抑制できる。また、遮光フード２１の突出量が減少して表示画面部１０７周囲の明るさが上昇した場合には、それに応じて表示画面部１０７の輝度が上がるため、表示画面部１０７の輝度が不足して表示が見難くなることを抑制できる。このように、本実施例の表示装置１０では、遮光フード２１の突出量に応じて、表示画面部１０７の輝度を、表示画面部１０７の周囲の明るさに適した輝度に自動調整することが可能となる。
【００２７】
（実施例２）
本発明の第２の実施形態について説明する。本実施例の表示装置１１は、遮光フード２１を着脱可能な構造を有している点で、実施例１の表示装置１０と相違する。図７は、本実施例に係る表示装置１１の遮光フード２１を取り付けた状態を背面側からみた斜視図である。遮光フード２１の内側側面には、複数のマグネット４３が、遮光フード２１の可動方向（表示画面部１０７の画面に垂直な方向）に沿って所定の間隔（本実施例では１５ｍｍ）で磁性方向を揃えて取り付けられている。マグネット４３の取り付け間隔は１５ｍｍに限らず、表示画面部１０７の画面サイズなどに応じて適宜設定することができる。また、フロントベゼル２２の外側側面における、遮光フード２１のマグネット４３の取り付け位置に対応する位置に、近接センサ２５が設けられている。
【００２８】
図８は、マグネット４３と近接センサ２５により遮光フード２１の突出量を検出する方法を説明するための図である。マグネット４３の各々は、フロントベゼル方向（遮光フード２１が引き出される向き）がＳ極、リアカバー方向（遮光フード２１が押し込まれる向き）がＮ極となるように取り付けられている。従って、遮光フード２１の突出量が増加する向き（遮光フード２１が引き出される向き）に遮光フード２１が動いた場合、１つのマグネット４３のＳ極が近接センサ２５に近づき、Ｓ極が近接センサ２５を通過した後、Ｎ極が近接センサ２５を通過する。更に遮光フード２１が動いた場合、次のマグネット４３のＳ極が近接センサ２５に近づき、以下同様に繰り返される。逆に、突出量が減少する向き（遮光フード２１が押し込まれる向き）に遮光フード２１が動いた場合、１つのマグネット４３のＮ極が近接センサ２５に近づき、Ｎ極が近接センサ２５を通過した後、Ｓ極が近接センサ２５を通過する。更に遮光フード２１が動いた場合、次のマグネット４３のＮ極が近接センサ２５に近づき、以下同様に繰り返される。
【００２９】
近接センサ２５は、マグネット４３のＳ極に続いてＮ極が通過したことを検出すると、カウンタｎを増加させる。また、マグネット４３のＮ極に続いてＳ極が通過したことを検
出すると、カウンタｎを減少させる。従って、突出量が増加する向きに遮光フード２１が動いた場合、１個のマグネット４３が近接センサ２５を通過するごとに、カウンタｎが１ずつ増加する。突出量が減少する向きに遮光フード２１が動いた場合、１個のマグネット４３が近接センサ２５を通過するごとに、カウンタｎが１ずつ減少する。つまり、カウンタｎは遮光フード２１の突出量の変化量に対応する。
【００３０】
図９は、表示装置１１に遮光フード２１を取り付けて突出量を最小（本実施例ではゼロ）にした状態の表示装置１１を前面側からみた斜視図である。ａ部は、遮光フード２１のガイドレール４０がフロントベゼル２２のガイド突起４５に対してスライド可能に嵌合する箇所の部分カット図である。
【００３１】
ここで、表示装置１１に遮光フード２１を取り付ける方法を説明する。遮光フード２１の内側の左右側面及び天面側には、断面略Ｔ字形の溝であるガイドレール４０が形成されている。遮光フード２１が表示装置１１に取り付けられていない状態において、ガイドレール４０の背面側（リアカバー側）の端部を、フロントベゼル２２の側面及び上面に設けられたガイド突起４５に嵌合させて前面側（フロントベゼル側）から挿入する。遮光フード２１を突出量が最小の状態になるまで移動させ、ガイドレール４０の背面側端部の開口部分にストッパー４２を取り付ける。ここで、遮光フード２１を突出量が最大の位置まで引き出したときに、ストッパー４２がガイド突起４５に当たって遮光フード２１がそれ以上引き出されないことを確認するとよい。
【００３２】
以上のようにして遮光フード２１をフロントベゼル２２に取り付けてから、近接センサ２５のカウンタの初期設定を行う。まず、遮光フード２１を突出量が最小の状態になる位置まで移動させる。本実施例では、突出量が最小の状態における遮光フード２１の突出量はゼロである。突出量が最小の状態において遮光フード２１がある程度突出した状態になる構成でも良いのは実施例１で述べた通りである。突出量が最小の位置まで遮光フード２１を移動させたら、表示装置１１の操作ボタン２３の電源スイッチを押して表示装置１１に電源を投入する。操作ボタン２３のメニューボタンを操作して初期設定画面を起動させる。初期設定画面は表示装置１１のＯＳＤ（Ｏｎ  Ｓｃｒｅｅｎ  Ｄｉｓｐｌａｙ）機能により表示画面部１０７に表示される。初期設定画面において、近接センサ２５のカウンタｎの値をゼロにリセットする。すなわち、遮光フード２１の突出量が最小の状態を、近接センサ２５のカウンタｎのゼロ点に設定する。
【００３３】
本実施例の表示装置１１では、マグネット４３の取り付け間隔は１５ｍｍであるので、このようにして近接センサ２５の初期設定を行うことにより、遮光フード２１の突出量をｎ×１５ｍｍで計算できる。例えば、突出量が最小の状態から数えて、マグネット４３がＳ極からＮ極の向きに５回通過したことを近接センサ２５が検出した場合、カウンタｎ＝５であり、突出量は７５ｍｍと算出される。また、マグネット４３がＳ極からＮ極の向きに５回通過し、Ｎ極からＳ極の向きに２回通過したことを近接センサ２５が検出した場合は、カウンタｎ＝５−２＝３であり、突出量は４５ｍｍと算出される。突出量が最小の状態で遮光フード２１の突出量がゼロでない場合、例えば、突出量が最小の状態における突出量が１０ｍｍとすると、突出量をｎ×１５ｍｍ＋１０ｍｍのようにして算出できる。
【００３４】
以上説明したように、本実施例では、実施例１のエンコーダ４６及び歯車４７の代わりに、マグネット４３及び近接センサ２５により遮光フード２１の突出量を検出する。すなわち、本実施例ではマグネット４３及び近接センサ２５が突出量検出部１０１として機能する。そして、実施例１と同様に、突出量検出部１０１が検出した突出量に基づいて、突出量輝度値算出部１０４が図５の突出量輝度値テーブルを参照してバックライト輝度値を算出する。突出量輝度値算出部１０４が算出したバックライト輝度値は、制御部１０２に出力され、制御部１０２は、このバックライト輝度値に基づいてバックライト部１０３の
輝度制御を行う。
【００３５】
本実施例の表示装置１１では、遮光フード２１は着脱可能であり、遮光フード２１の装着時は、遮光フード２１を動かすと、遮光フード２１の突出量に応じて表示画面部１０７の輝度が自動調整される。従って、表示画面部１０７の輝度が表示画面部１０７の周囲の明るさに適した輝度に調整される。
【００３６】
（実施例３）
本発明の第３の実施例について説明する。図１０は、本実施例に係る表示装置５０の斜視図である。フロントベゼル２２の表示画面部１０７の下部に外光センサ１１０が設けられる。外光センサ１１０は表示装置５０の周囲の明るさ（照度）を検出するセンサである。表示装置５０は、外光センサ１１０により検出される表示画面部１０７の周囲の明るさと、遮光フード２１の突出量と、に応じて表示画面部１０７の輝度を調整する。本実施例の表示装置５０は、遮光フード２１の突出量の変化を検出し、遮光フード２１の突出量が変化した場合に、その変化に応じた表示画面部１０７の周囲の明るさの変化を考慮して表示画面部１０７の輝度を調整する。遮光フード２１の突出量が変化したことを検出する手段としては、実施例１や実施例２で説明した突出量検出部１０１を変化検出部として採用できる。表示装置５０は、遮光フード２１が動いて突出量が変化した場合は、外光センサ１１０を無効にする。そして、表示装置５０は、遮光フード２１の突出量の変化が検出された時点（遮光フード２１が動く直前）の表示画面部１０７の輝度を基準にして、遮光フード２１の突出量の変化量に応じて表示画面部１０７の輝度を調整する。そして、表示装置５０は、次に遮光フード２１の突出量の変化が検出されるまでは、外光センサ１１０により検出される表示画面部１０７の周囲の照度に応じて表示画面部１０７の輝度を制御する。
【００３７】
図１１は、本実施例に係る表示装置５０のブロック図である。図１に示した実施例１の表示装置１０のブロック図との相違点は、外光センサ１１０と外光量輝度値算出部１１１が追加されている点である。外光量輝度値算出部１１１は、外光センサ１１０により検出される表示画面部１０７の周囲の明るさに応じてバックライト部１０３の輝度値を算出する。
【００３８】
図１２は、外光量輝度値算出部１１１が外光センサ１１０により検出される表示画面部１０７の周囲の明るさに応じてバックライト輝度値を算出する際に参照する外光量輝度値テーブルの一例である。外光量輝度値テーブルは、外光センサ１１０により検出される表示画面部１０７の周囲の明るさに応じて設定されたバックライト部１０３の輝度値のテーブルである。横軸が外光センサ１１０により検出される表示画面部１０７の周囲の明るさを表し、縦軸がバックライト輝度値を表す。図１２に示すように、外光センサ１１０により検出される表示画面部１０７の周囲の明るさが明るいほどバックライト輝度値は大きくなり、表示画面部１０７の周囲の明るさが暗いほどバックライト輝度値は小さくなる。これにより、遮光フード２１の位置（突出量）が変化しない定常時は、外光センサ１１０により検出される表示画面部１０７の周囲の照度に応じて、表示画面部１０７の周囲の照度と表示画面部１０７の輝度との差が適切になるように輝度制御される。
【００３９】
遮光フード２１の位置が変化した場合、表示画面部１０７の輝度制御は、外光量輝度値算出部１１１により算出されるバックライト輝度値に基づく制御から、突出量輝度値算出部１０４により算出されるバックライト輝度値に基づく制御に切り替わる。本実施例では、遮光フード２１の位置が変化した場合には、遮光フード２１の位置が変化する直前のバックライト輝度値と、遮光フード２１の突出量の変化量に応じて、バックライト輝度値が制御される。外光量輝度値算出部１１１は、遮光フード２１の位置が変化する直前のバックライト輝度値を基準として、突出量検出部１０１により検出される遮光フード２１の突
出量の変化量に基づいて、バックライト輝度値を算出する。突出量輝度値算出部１０４がバックライト輝度値を算出する方法は、実施例１の表示装置１０の突出量輝度値算出部１０４がバックライト輝度値を算出する方法とは異なる。
【００４０】
図１３は、本実施例の突出量輝度値算出部１０４がバックライト輝度値を算出する方法を説明するための図である。図１３は、遮光フード２１が動く直前におけるバックライト輝度値Ｂ０を基準として算出される、遮光フード２１の突出量の変化量に応じたバックライト輝度値を表す。横軸は遮光フード２１の突出量の変化量を表し、中央のゼロ点を遮光フード２１が動く直前の基準位置として、右側ほど突出量の増加量が大きく、左側ほど突出量の減少量が大きいことを表す。縦軸はバックライト輝度値を表す。バックライト輝度値の初期値Ｂ０は、遮光フード２１が動く直前に、外光センサ１１０による検出値に基づいて外光量輝度値算出部１１１が図１２の外光量輝度値テーブルを参照して算出したバックライト輝度値である。この初期値Ｂ０を基準として、遮光フード２１の突出量の増加量が大きいほど、バックライト輝度値が小さくされ、突出量の減少量が大きいほど、バックライト輝度値が大きくされる。
【００４１】
図１４は、本実施例の表示装置５０における遮光フード２１の突出量の変化に応じた表示画面部１０７の輝度制御を表すフローチャートである。表示装置５０は、ステップＳ２５０で、遮光フード２１が動いたか否か判別を行い、動いたと判定した場合はステップＳ２５１へ進み、動いていないと判定した場合は、ステップＳ２５６へ進む。本実施例では、遮光フード２１の位置の変化を検出する機構として、実施例１で説明したエンコーダ４６及び歯車４７や、実施例２で説明したマグネット４３及び近接センサ２５を用いることができる。
【００４２】
ステップＳ２５６に進んだ場合、表示装置５０は、外光センサ１１０を有効とし、外光センサ１１０により検出される表示画面部１０７の周囲の明るさに応じたバックライト輝度値の制御を行う。すなわち、外光センサ１１０が表示画面部１０７の周囲の明るさを検出し、検出した表示画面部１０７の周囲の明るさを外光量輝度値算出部１１１へ出力する。外光量輝度値算出部１１１は、図１２の外光量輝度値テーブルを参照し、外光センサ１１０より入力される表示画面部１０７の周囲の明るさに応じたバックライト輝度値を算出し、制御部１０２へ出力する。制御部１０２は、外光量輝度値算出部１１１より入力されたバックライト輝度値に基づいてバックライト部１０３を制御する。
【００４３】
一方、ステップＳＳ２５１に進んだ場合、表示装置５０は、現在のバックライト輝度値を記憶する。このバックライト輝度値が遮光フード２１が動く直前のバックライト輝度値となる。ステップＳ２５２において、表示装置５０は、外光センサ１１０により検出される表示画面部１０７の周囲の明るさに応じたバックライト輝度値制御を無効にし、ステップＳ２５３へ進む。ステップＳ２５３において、突出量検出部１０１が、遮光フード２１の突出量の変化量を検出する。突出量検出部１０１の構成はエンコーダ４６及び歯車４７を用いた実施例１の構成でも、マグネット４３及び近接センサ２５を用いた実施例２の構成でも、その他の構成でも良い。ステップＳ２５４において、突出量輝度値算出部１０４が、ステップＳ２５１で記憶した遮光フード２１が動く直前のバックライト輝度値を初期値として、ステップＳ２５３で検出された遮光フード２１の突出量の変化量に応じたバックライト輝度値を算出する。突出量輝度値算出部１０４は、図１３で説明した遮光フード２１の突出量の変化量とバックライト輝度値との関係に基づいて、バックライト輝度値を算出し、制御部１０２へ出力する。ステップＳ２５５において、制御部１０２は、ステップＳ２５４で算出されたバックライト輝度値に基づいてバックライト部１０３の制御を行う。
【００４４】
以上説明した処理が実行されることにより、遮光フード２１が動かない定常状態では外
光センサ１１０により検出される表示画面部１０７の周囲の明るさに応じて表示画面部１０７の輝度が調整される。そして、遮光フード２１が動かされた場合には、動かされる直前の表示画面部１０７の輝度を基準として、遮光フード２１の突出量の変化量に応じて表示画面部１０７の輝度が調整される。これにより、外光センサ１１０により検出される表示画面部１０７の周囲の明るさと、遮光フード２１による遮光量との両方に基づいて、表示画面部１０７の輝度を、表示画面部１０７の周囲の明るさに適した輝度に自動調整することができる。
【００４５】
ユーザが、操作ボタン２３を操作して、制御部１０２による表示画面部１０７の輝度の制御が基づくところの遮光フード２１の突出量と表示画面部１０７の輝度との関係（突出量輝度値算出部１０４が参照する突出量輝度値テーブル）を設定できても良い。また、ユーザが、表示画面部１０７の周囲の照度及び遮光フード２１の突出量と表示画面部１０７の輝度との関係（外光量輝度値算出部１１１が参照する外光量輝度値テーブルなど）を設定できても良い。この場合、ユーザにこれらの関係を設定させる操作ボタン２３及び設定のためのＧＵＩ表示等を行う機能部が本発明の設定部として機能する。
【符号の説明】
【００４６】
１０：表示装置、２１：遮光フード、１０１：突出量検出部、１０２：制御部、１０７：表示画面部
【図１】
2012037811.tif 000003
【図２】
2012037811.tif 000004
【図３】
2012037811.tif 000005
【図４】
2012037811.tif 000006
【図５】
2012037811.tif 000007
【図６】
2012037811.tif 000008
【図７】
2012037811.tif 000009
【図８】
2012037811.tif 000010
【図９】
2012037811.tif 000011
【図１０】
2012037811.tif 000012
【図１１】
2012037811.tif 000013
【図１２】
2012037811.tif 000014
【図１３】
2012037811.tif 000015
【図１４】
2012037811.tif 000016